(57)【要約】【課題】薄くかつ柔軟性の高いパッドであっても、より確実に治療部位に固定することのできる低周波治療器，低周波治療器用コード及びベルトを提供する。【解決手段】低周波治療器本体と、該低周波治療器本体に接続されるコードと、該コードの先端に対して着脱自在に構成され、かつ治療部位に貼り付けられるパッド３００と、を備えた低周波治療器において、前記コードの先端には該コードをパッド３００に接続するスナップ５１０が設けられており、かつ、スナップ５１０には、パッド３００を治療部位に固定させるために身体に巻き付けられるベルト６１０の先端に設けられたフック部材６１２のフック部６１２ａが引掛けられる突起５１１が設けられていることを特徴とする。【選択図】図７
2008043358.tif 000002
【特許請求の範囲】
【請求項１】
低周波治療器本体と、
該低周波治療器本体に接続されるコードと、
該コードの先端に対して着脱自在に構成され、かつ治療部位に貼り付けられるパッドと、を備えた低周波治療器において、
前記コードの先端には該コードをパッドに接続する接続部材が設けられており、
かつ、該接続部材には、パッドを治療部位に固定させるために身体に巻き付けられるベルトの先端を保持する保持部が設けられていることを特徴とする低周波治療器。
【請求項２】
前記ベルトの先端にはフックが設けられており、前記保持部は該フックが引掛けられる被引掛け部であることを特徴とする請求項１に記載の低周波治療器。
【請求項３】
低周波治療器本体に接続され、かつ、その先端に、治療部位に貼り付けられるパッドに接続する接続部材が設けられた低周波治療器用コードにおいて、
前記接続部材に、パッドを治療部位に固定させるために身体に巻き付けられるベルトの先端を保持する保持部が設けられていることを特徴とする低周波治療器用コード。
【請求項４】
前記ベルトの先端にはフックが設けられており、前記保持部は該フックが引掛けられる被引掛け部であることを特徴とする請求項３に記載の低周波治療器用コード。
【請求項５】
低周波治療器本体に接続されたコードの先端に接続されたパッドを治療部位に固定させるために身体に巻き付けられるベルトであって、
前記コードをパッドに接続する接続部材に設けられた保持部に対して保持される被保持部を備えることを特徴とするベルト。
【請求項６】
前記保持部は被引掛け部であり、前記被保持部は該被引掛け部に引掛けるフックであることを特徴とする請求項５に記載のベルト。
【請求項７】
長さを調節できる長さ調節具が備えられていることを特徴とする請求項５または６に記載のベルト。
【請求項８】
弾性的に伸縮可能な伸縮性を有する素材により構成されていることを特徴とする請求項５〜７のいずれか一つに記載のベルト。
【発明の詳細な説明】
【技術分野】
【０００１】
本発明は、低周波治療を行うための低周波治療器，低周波治療器用コード及びベルトに関するものである。
【背景技術】
【０００２】
従来、内部に電極を有するパッドを治療部位に貼り付けて低周波治療を行う低周波治療器が知られている。また、低周波治療器におけるパッドは一般的に消耗部品であり、パッドのみを簡単に交換できるように、治療器本体に接続されたコードに対してパッドを着脱自在に構成されたものが知られている。このようなパッドは、身体の様々な箇所に貼り付けることができるように、種々の形状に対応するべく、薄くかつ柔軟性が高くなっているのが一般的である。
【０００３】
しかしながら、曲率の高い部位や形の変化に富む部位にパッドを貼り付ける場合には、パッドの端の部分が治療部位から剥がれてしまうことがある。また、治療を受けている者が身体を激しく動かすことによって、パッドの位置がずれてしまったり、剥がれてしまったりすることもある。更に、パッドの粘着面の粘着力は、使用回数が増えるにつれて低下していくため、使用回数を重ねるにつれて、パッドは治療部位から剥がれ易くなってしまう。
【特許文献１】実用新案登録第２５４１０２９号公報
【特許文献２】特開平１０−１９２４１６号公報
【特許文献３】特開昭６２−１３７０６７号公報
【発明の開示】
【発明が解決しようとする課題】
【０００４】
本発明の目的は、薄くかつ柔軟性の高いパッドであっても、より確実に治療部位に固定することのできる低周波治療器，低周波治療器用コード及びベルトを提供することにある。
【課題を解決するための手段】
【０００５】
本発明は、上記課題を解決するために以下の手段を採用した。
【０００６】
すなわち、本発明の低周波治療器は、
低周波治療器本体と、
該低周波治療器本体に接続されるコードと、
該コードの先端に対して着脱自在に構成され、かつ治療部位に貼り付けられるパッドと、を備えた低周波治療器において、
前記コードの先端には該コードをパッドに接続する接続部材が設けられており、
かつ、該接続部材には、パッドを治療部位に固定させるために身体に巻き付けられるベルトの先端を保持する保持部が設けられていることを特徴とする。
【０００７】
前記ベルトの先端にはフックが設けられており、前記保持部は該フックが引掛けられる被引掛け部であるとよい。
【０００８】
また、本発明の低周波治療器用コードは、
低周波治療器本体に接続され、かつ、その先端に、治療部位に貼り付けられるパッドに接続する接続部材が設けられた低周波治療器用コードにおいて、
前記接続部材に、パッドを治療部位に固定させるために身体に巻き付けられるベルトの
先端を保持する保持部が設けられていることを特徴とする。
【０００９】
前記ベルトの先端にはフックが設けられており、前記保持部は該フックが引掛けられる被引掛け部であるとよい。
【００１０】
また、本発明のベルトは、
低周波治療器本体に接続されたコードの先端に接続されたパッドを治療部位に固定させるために身体に巻き付けられるベルトであって、
前記コードをパッドに接続する接続部材に設けられた保持部に対して保持される被保持部を備えることを特徴とする。
【００１１】
前記保持部は被引掛け部であり、前記被保持部は該被引掛け部に引掛けるフックであるとよい。
【００１２】
ベルトには、長さを調節できる長さ調節具が備えられているとよい。
【００１３】
ベルトは、弾性的に伸縮可能な伸縮性を有する素材により構成されているとよい。
【００１４】
以上のように、本発明によれば、身体に巻き付けられるベルトによってパッドを治療部位に固定できるので、パッドの位置がずれてしまったり、パッドが剥がれてしまったりすることをより確実に防止できる。また、本発明によれば、コードをパッドに接続する接続部材に設けられた保持部にベルトが保持されるように構成されるので、パッド自体がベルトに引っ張られることはない。従って、パッドが薄くかつ柔軟性が高いものであっても、ベルトによりパッドを固定させることによって、パッドの治療部位に対する貼り付け状態に悪影響を与えたり、パッドが破れてしまったりすることもない。
【００１５】
なお、上記各構成は、可能な限り組み合わせて採用し得る。
【発明の効果】
【００１６】
以上説明したように、本発明によれば、薄くかつ柔軟性の高いパッドであっても、より確実に治療部位に固定することができる。
【発明を実施するための最良の形態】
【００１７】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１８】
（実施例１）
図１〜図８を参照して、本発明の実施例１に係る低周波治療器，低周波治療器用コード及びベルトについて説明する。
【００１９】
＜低周波治療器＞
図１及び図２を参照して、本発明の実施例１に係る低周波治療器について説明する。図１は本発明の実施例１に係る低周波治療器の外観を示す斜視図である。図２は本発明の実施例１に係る低周波治療器のブロック図である。
【００２０】
まず、特に図１を参照して、低周波治療器１００の構成を説明する。低周波治療器１００は、概略、治療器本体２００と、治療部位に貼り付けるための一対のパッド３００と、治療器本体２００とパッド３００とを電気的に接続するためのコード４００とから構成さ
れる。
【００２１】
治療器本体２００は、電源のオンオフや各種の設定等を行うために設けられた複数のボタンからなる操作部２０１や、設定内容や治療時間を表示するための表示部２０２を備えている。治療器本体自体に関しては、公知技術を含めた各種の技術を適用すればよいので、詳細説明は省略する。コード４００は、一端に治療器本体２００に接続するためのプラグ４０１が設けられており、他端にパッド３００に接続するための接続部材であるスナップ５１０が設けられている。
【００２２】
次に、特に図２を参照して、低周波治療器１００の動作について説明する。治療器本体２００の内部には、各種電子部品の動作を制御するＣＰＵ２０３や低周波パルスを生成し、かつ出力する波形成形・出力部２０５が備えられている。ＣＰＵ２０３に対しては、治療器本体２００に設けられた電源部２０４から電気が供給されるように構成されている。そして、操作部２０１から送られる信号に基づいて、ＣＰＵ２０３は、表示部２０２に設定内容や治療時間などを表示させ、また、波形成形・出力部２０５により低周波パルスを生成させる。波形成形・出力部２０５から出力された低周波パルスは、パッド３００を介して人体Ｍの治療部位に付与される。
【００２３】
＜パッドとコードとの接続構造＞
図３及び図４を参照して、本発明の実施例１に係るパッドとコードとの接続構造について説明する。図３は本発明の実施例１に係るパッドにコードを接続した状態を示す平面図である。図４は本発明の実施例１に係るパッドにコードを接続した状態を示す側面図である。
【００２４】
パッド３００は、薄くかつ柔軟性の高い部材により構成されており、一方の面は、ゲル状の材料によって構成され、粘着性を有している。このパッド３００は消耗部品であり、コード４００に対して着脱自在に構成されている。そして、上記の通り、コード４００の先端には、パッド３００に接続するための接続部材であるスナップ５１０が設けられている。なお、このスナップ５１０は凹型のスナップであり、パッド３００側に設けられた凸型スナップに嵌めることで、コード４００の先端をパッド３００に接続することができる。
【００２５】
そして、スナップ５１０には、先端に大径部分を有する突起５１１が設けられている。この突起５１１は、後に詳述するように、ベルト６１０の先端を保持する保持部として機能し、より具体的には、ベルト６１０の先端に設けられた被保持部であるフック部６１２ａが引掛けられる被引掛け部として機能する。
【００２６】
＜ベルト＞
図５〜図７を参照して、本発明の実施例１に係るベルトについて説明する。図５は本発明の実施例１に係るベルトの平面図の一部である。図６は本発明の実施例１に係るベルトの使用状態を示す平面図の一部である。図７は本発明の実施例１に係るベルトの使用状態を示す側面図の一部である。なお、図７においては、後述するフック部材についてのみ断面で示している。
【００２７】
本実施例に係るベルト６１０は、ベルト本体６１１と、ベルト本体６１１の両端にそれぞれ設けられるフック部材６１２とを備えている。ベルト本体６１１は、弾性的に伸縮可能な伸縮性を有する素材により構成されている。
【００２８】
フック部材６１２の先端には、鉤形状の被保持部であるフック部６１２ａが設けられている。また、フック部材６１２の胴体部には、複数の貫通孔が形成された梯子状の長さ調
節部６１２ｂが設けられている。
【００２９】
各図に示すように、長さ調節部６１２ｂの貫通孔に対して、ベルト本体６１１の先端を一方の面側からと他方の面側からと交互に差し込むことで、ベルト本体６１１の先端にフック部材６１２を保持することができる。そして、ベルト本体６１１の先端を引っ張ることによって、ベルト本体６１１に対するフック部材６１２の保持する位置が移動するため、ベルト本体６１１の長さを調節することができる。なお、本実施例では、ベルト本体６１１の一方の端部に設けられたフック部材６１２（図６及び図７においては左側のフック部材６１２）については、ベルト本体６１１を固定し、長さの調節をできないようにしている。
【００３０】
そして、フック部材６１２の先端に設けられたフック部６１２ａを、スナップ５１０に設けられた突起５１１に引掛けることによって、ベルト６１０の先端が突起５１１に保持される。
【００３１】
＜ベルトによるパッドの治療部位への固定方法＞
図８を参照して、本発明の実施例１に係るベルトによるパッドの治療部位への固定方法を説明する。図８は本発明の実施例１に係るベルトによるパッドの治療部位への固定方法を説明する説明図である。
【００３２】
まず、コード４００に接続された状態にあるパッド３００を、所望の治療部位に対して貼り付ける。本実施例では、前腕Ｘに対して、パッド３００を貼り付ける場合を示している（図８（Ａ）参照）。
【００３３】
次に、ベルト本体６１１の一端に設けられたフック部材６１２のフック部６１２ａをスナップ５１０の突起５１１に引掛けた状態で、ベルト本体６１１を前腕Ｘに巻き付ける。そして、ベルト本体６１１の他端に設けられたフック部材６１２のフック部６１２ａも、スナップ５１０の突起５１１に引掛ける（図８（Ｂ）参照）。
【００３４】
そして、ベルト本体６１１の一端部を引っ張ることによって、ベルト本体６１１の長さを調節し、ベルト本体６１１を確実に前腕Ｘに巻き付ける（図８（Ｃ）参照）。これにより、パッド３００は所望の位置に確実に固定される。なお、フック部材６１２に設けられた長さ調節部６１２ｂによってベルト本体６１１の長さを調節することができ、かつベルト本体６１１が弾性的に伸縮性を有する素材で構成されることから、様々な太さの部位に対して、適切にベルト６１０を巻き付けることができる。
【００３５】
＜本実施例の優れた点＞
以上のように、本実施例によれば、身体に巻き付けられるベルト６１０によってパッド３００を所望の治療部位に固定できる。これにより、パッド３００を、曲率の高い部位や形の変化に富む部位に貼り付ける場合であっても、パッド３００の位置がずれてしまったり、パッド３００が剥がれてしまったりすることをより確実に防止できる。また、パッド３００の粘着面が汚れたり、パッド３００の使用回数が増えることによって、パッド３００の粘着力が低下しても、パッド３００の位置がずれてしまったり、パッド３００が剥がれてしまったりすることをより確実に防止できる。
【００３６】
また、本実施例によれば、コード４００をパッド３００に接続する接続部材であるスナップ５１０に設けられた突起５１１に対して、ベルト６１０が保持されるように構成される。従って、ベルト６１０を身体に巻き付けても、パッド３００自体がベルト６１０に引っ張られることはない。従って、パッド３００が薄くかつ柔軟性が高くても、ベルト６１０によりパッド３００を固定させることによって、パッド３００の治療部位に対する貼り
付け状態に悪影響を与えたり、パッド３００が破れてしまったりすることもない。更に、スナップ５１０に設けられた突起５１１に対して、ベルト６１０が保持されるように構成されることで、コストアップを抑制する利点もある。つまり、パッド自体にベルトを保持させるための構造（例えば突起）を設ける場合には、消耗品であるパッドのコストが高くなってしまう。これに対して本実施例では、消耗品であるパッド３００は一般的なものを適用できるため、コストアップを抑制できる。
【００３７】
（実施例２）
図９及び図１０には、本発明の実施例２が示されている。上記実施例１では、ベルト本体の端部に設けられたフック部材のフック部が鉤形状の場合について示したが、本実施例ではフック部が貫通孔により構成される場合を示す。ベルト以外の構成および作用については実施例１と同一なので、同一の構成部分については同一の符号を付して、その説明は省略する。
【００３８】
図９は本発明の実施例２に係るベルトの使用状態を示す平面図の一部である。図１０は本発明の実施例２に係るベルトの平面図の一部である。
【００３９】
本実施例に係るベルト６２０も、実施例１の場合と同様に、ベルト本体６２１と、ベルト本体６２１の両端にそれぞれ設けられるフック部材６２２とを備えている。また、ベルト本体６２１は、弾性的に伸縮可能な伸縮性を有する素材により構成されている。
【００４０】
そして、フック部材６２２の先端には、貫通孔により構成されるフック部６２２ａが設けられている。なお、フック部材６２２の胴体部には、実施例１の場合と同様に、複数の貫通孔が形成された梯子状の長さ調節部６２２ｂが設けられている。
【００４１】
本実施例においても、フック部材６２２の先端に設けられたフック部６２２ａを、スナップ５１０に設けられた突起５１１に引掛けることによって、ベルト６２０の先端が突起５１１に保持される。
【００４２】
以上のように、上記実施例１ではフック部６１２ａが鉤形状により構成されていたのに対して、本実施例ではフック部６２２ａが貫通孔により構成されている点のみが、上記実施例１と異なっている。本実施例においても、上記実施例１の場合と同様の効果を得ることができることは言うまでもない。なお、本実施例の場合のように、フック部を貫通孔で構成したほうが、鉤形状の場合よりも剛性を高めることができるので、フック部材に用いる素材として、強度の低いものでも適用できるという利点がある。
【００４３】
（実施例３）
図１１及び図１２には、本発明の実施例３が示されている。本実施例では、フック部材のフック部の形状を改良した例を示す。ベルト以外の構成および作用については実施例１と同一なので、同一の構成部分については同一の符号を付して、その説明は省略する。図１１は本発明の実施例３に係るベルトの使用状態を示す側面図の一部である。図１２は図１１のうち一部（楕円で囲った部分）を拡大した拡大図である。なお、図１１及び図１２においては、後述するフック部材についてのみ断面で示している。
【００４４】
本実施例に係るベルト６３０も、実施例１や実施例２の場合と同様に、ベルト本体６３１と、ベルト本体６３１の両端にそれぞれ設けられるフック部材６３２とを備えている。また、ベルト本体６３１は、弾性的に伸縮可能な伸縮性を有する素材により構成されている。
【００４５】
そして、フック部材６３２の先端には、実施例１や実施例２の場合と同様に、フック部
６３２ａが設けられており、フック部材６３２の胴体部には、複数の貫通孔が形成された梯子状の長さ調節部６３２ｂが設けられている。
【００４６】
次に、本実施例の特徴的な構成について説明する。本実施例においては、上記のフック部６３２ａは、実施例１で示したような鉤形状により構成してもよいし、実施例２で示したような貫通孔により構成してもよい。ただし、本実施例では、フック部６３２ａの内周面が、図１１及び図１２に示すようにテーパ形状となっていることに特徴がある。そして、ベルト本体６３１の一方に設けられるフック部材６３２のフック部６３２ａの内周面は図中上方に向かって拡径し、他方に設けられるフック部材６３２のフック部６３２ａの内周面は図中下方に向かって拡径するように構成されている。
【００４７】
そして、ベルト本体６３１の両端にそれぞれ設けられたフック部材６３２のフック部６３２ａを、スナップ５１０に設けられた突起５１１に引掛ける場合には、図１１及び図１２に示すように、テーパが上方に向かって拡径している方が図中上側に、他方が下側となるように、各フック部材６３２を重ねるようにして引掛ける。
【００４８】
こうすることにより、ベルト６２０による引張り力により、各フック部材６３２のフック部６３２ａが、突起５１１に作用する作用点（図１２中、Ｅ１とＥ２）は、突起５１１の伸びる方向に対して同じ位置となる。従って、突起５１１が傾いてしまうようなモーメントの発生を抑制することができる。
【００４９】
以上のように、本実施例においても、上記実施例１，２の場合と同様の効果を得ることができる。また、本実施例の場合には、突起５１１が傾いてしまうようなモーメントの発生を抑制できる。従って、突起５１１が傾くことによる、パッド３００の剥がれなどの発生を抑制できる。
【００５０】
（実施例４）
図１３には、本発明の実施例４が示されている。上記実施例１〜３では、接続部材に保持部かつ被引掛け部である突起が１箇所のみ設けられる場合の構成を示したが、本実施例では当該突起が複数設けられる場合の構成を示す。その他の基本的な構成については、上記実施例１の場合と同一であるので、その説明は省略する。図１３は本発明の実施例４に係るベルトによるパッドの治療部位への固定時の様子を示す図である。
【００５１】
本実施例に係るコード４００の先端に設けられる接続部材５２０においては、板状の本体部５２１に保持部かつ被引掛け部である３つの突起５２２が設けられている。なお、本体部５２１における突起５２２が設けられている面とは反対側の面には、上記各実施例の場合と同様にスナップ（凹型スナップ）が設けられている。ただし、本実施例の場合には、スナップが複数個所（例えば３箇所）に設けられている。
【００５２】
このように、突起５２２が複数設けられている構成の場合においては、ベルト本体６１１の両端にそれぞれ設けられたフック部材６１２のフック部６１２ａを、両側の突起５２２にそれぞれ引掛けることで、ベルト６１０によってパッド３１０を固定することができる。
【００５３】
以上のように、本実施例においても、上記各実施例の場合と同様の効果を得ることができる。なお、図１３では、上記実施例１で示したベルト６１０を用いた場合を例に示したが、上記実施例２で示したベルト６２０や実施例３で示したベルト６３０を用いることができることは言うまでもない。
【００５４】
（実施例５）
図１４には、本発明の実施例５が示されている。本実施例では、上記実施例４の変形例を説明する。図１４は本発明の実施例５に係るパッドに接続部材を接続した状態を示す側面図である。
【００５５】
上記実施例４においては、接続部材５２０における本体部５２１のスナップが設けられている面とは反対側に、フック部が引掛けられる突起５２２を設ける場合について示した。
【００５６】
これに対して、本実施例の場合には、スナップに対してフック部を引掛けるように構成されている。すなわち、本実施例に係る接続部材５３０は、本体部５３１と、本体部５３１に一体的に設けられた保持部かつ被引掛け部である３つのスナップ５３２とを備えている。本実施例の場合には、スナップ５３２の高さが比較的高く設定されており、接続部材５３０の本体部５３１とパッド３１０との間に、十分な隙間が形成されるように構成されている。
【００５７】
このような構成により、上記実施例１〜３において示した各種ベルトの先端に設けられたフック部材のフック部を、スナップ５３２に対して引掛けることができる。従って、ベルト本体の両端にそれぞれ設けられたフック部材のフック部を、両側のスナップ５３２にそれぞれ引掛けることで、ベルトによってパッド３１０を固定することができる。
【００５８】
以上のように、本実施例においても、上記各実施例の場合と同様の効果を得ることができる。
【図面の簡単な説明】
【００５９】
【図１】図１は本発明の実施例１に係る低周波治療器の外観を示す斜視図である。
【図２】図２は本発明の実施例１に係る低周波治療器のブロック図である。
【図３】図３は本発明の実施例１に係るパッドにコードを接続した状態を示す平面図である。
【図４】図４は本発明の実施例１に係るパッドにコードを接続した状態を示す側面図である。
【図５】図５は本発明の実施例１に係るベルトの平面図の一部である。
【図６】図６は本発明の実施例１に係るベルトの使用状態を示す平面図の一部である。
【図７】図７は本発明の実施例１に係るベルトの使用状態を示す側面図の一部である。
【図８】図８は本発明の実施例１に係るベルトによるパッドの治療部位への固定方法を説明する説明図である。
【図９】図９は本発明の実施例２に係るベルトの使用状態を示す平面図の一部である。
【図１０】図１０は本発明の実施例２に係るベルトの平面図の一部である。
【図１１】図１１は本発明の実施例３に係るベルトの使用状態を示す側面図の一部である。
【図１２】図１２は図１１のうち一部を拡大した拡大図である。
【図１３】図１３は本発明の実施例４に係るベルトによるパッドの治療部位への固定時の様子を示す図である。
【図１４】図１４は本発明の実施例５に係るパッドに接続部材を接続した状態を示す側面図である。
【符号の説明】
【００６０】
１００  低周波治療器
２００  治療器本体
２０１  操作部
２０２  表示部
２０３  ＣＰＵ
２０４  電源部
２０５  波形成形・出力部
３００，３１０  パッド
４００  コード
４０１  プラグ
５１０  スナップ
５１１  突起
５２０，５３０  接続部材
５２１，５３１  本体部
５２２  突起
５３２  スナップ
６１０，６２０，６３０  ベルト
６１１，６２１，６３１  ベルト本体
６１２，６２２，６３２  フック部材
６１２ａ，６２２ａ，６３２ａ  フック部
６１２ｂ，６２２ｂ，６３２ｂ  長さ調節部
Ｍ  人体
Ｘ  前腕
【図１】
2008043358.tif 000003
【図２】
2008043358.tif 000004
【図３】
2008043358.tif 000005
【図４】
2008043358.tif 000006
【図５】
2008043358.tif 000007
【図６】
2008043358.tif 000008
【図７】
2008043358.tif 000009
【図８】
2008043358.tif 000010
【図９】
2008043358.tif 000011
【図１０】
2008043358.tif 000012
【図１１】
2008043358.tif 000013
【図１２】
2008043358.tif 000014
【図１３】
2008043358.tif 000015
【図１４】
2008043358.tif 000016